(57)【特許請求の範囲】
【請求項１】
ランプユニットから発生される光の提供を受け、映像をディスプレーするためのディスプレーユニットに前記光をガイドするための光ガイド装置において、
前記ランプユニットから光が入射される第１端部の少なくとも一つの角を部分切開してキャッチングジョーが形成され、前記キャッチングジョーは、前記第１端部の側壁から外側に突出するよう延長して形成された突出部を含み、前記角部が部分切開された第１端部の幅は、対向する第２端部の幅より小さいことを特徴とする光ガイド装置。
【請求項２】
前記第１端部の両角部のキャッチングジョーは、前記第２端部に進行するほど幅が狭くなるようにスロープ形態で形成されることを特徴とする請求項１に記載の光ガイド装置。
【請求項３】
前記光ガイド装置は、前記光が入射される第１端部から前記第２端部に進行するほど厚さが薄くなるウェッジ型導光板であることを特徴とする請求項２に記載の光ガイド装置。
【請求項４】
光を発生するためのランプユニットと、
映像をディスプレーするためのディスプレーユニットに前記ランプユニットからの光をガイドし、前記ランプユニットからの光が入射される第１端部の少なくとも一つの角を部分切開してキャッチングジョーが形成され、前記キャッチングジョーは、前記第１端部の側壁から外側に突出するよう延長して形成された突出部を含み、前記角部が部分切開された第１端部の幅は、対向する第２端部の幅より小さい導光板と、
前記ランプユニット及び導光板を収納し、前記キャッチングジョーとかみ合って前記導光板を固定するためのキャッチング突起が基底面の前記キャッチングジョーと対応される位置に形成されたモールドフレームとを含むことを特徴とする液晶表示モジュール。
【請求項５】
前記第１端部の両角部のキャッチングジョーは、前記第２端部に進行するほど幅が狭くなるようにスロープ形態で形成されることを特徴とする請求項４に記載の液晶表示モジュール。
【請求項６】
前記導光板は、前記光が入射される第１端部から前記第２端部に進行するほど厚さが薄くなるウェッジ型導光板であることを特徴とする請求項５に記載の液晶表示モジュール。
【請求項７】
光を発生するためのランプユニット、及び映像をディスプレーするためのディスプレーユニットに前記ランプユニットからの光をガイドし、前記ランプユニットからの光が入射される第１端部の少なくとも一つの角を部分切開してキャッチングジョーが形成され、前記キャッチングジョーは、前記端部の側壁から外側に突出するよう延長して形成された突出部を含み、前記角が部分切開された第１端部の幅は、対向する第２端部の幅より小さい導光板を有するバックライトアセンブリと、
前記ランプユニット及び導光板を収納し、前記キャッチングジョーとかみ合って、前記導光板を固定するためのキャッチング突起が基底面の前記キャッチングジョーと対応される位置に形成されたモールドフレームと、
前記ディスプレーユニットの位置をガイドし、前記モールドフレームと対向結合して前記ディスプレーユニット及びバックライトアセンブリを前記モールドフレームに固定するためのトップシャーシとを含むことを特徴とする液晶表示装置。
【請求項８】
前記第１端部の両角部のキャッチングジョーは、前記第２端部に進行するほど幅が狭くなるようにスロープ形態で形成されることを特徴とする請求項７に記載の液晶表示装置。
【請求項９】
前記導光板は、前記光が入射される第１端部から前記第２端部に進行するほど厚さが薄くなるウェッジ型導光板であることを特徴とする請求項８に記載の液晶表示装置。
【請求項１０】
ランプユニットから発生される光の提供を受け、映像をディスプレーするためのディスプレーユニットに前記光をガイドするための光ガイド装置において、
前記ランプユニットからの光が各々入射され、互いに対向する第１及び第２端部の両角部を所定部分切開してキャッチングジョーが形成され、前記キャッチングジョーは、前記端部の側壁から外側に突出するよう延長して形成された突出部を含み、前記角が部分切開された第１及び第２端部の幅は、中央部の幅より小さいことを特徴とする光ガイド装置。
【請求項１１】
前記第１及び第２端部の両角部のキャッチングジョーは、前記中央部に進行するほど幅が狭くなるようにスロープ形態で形成されることを特徴とする請求項１０に記載の光ガイド装置。
【請求項１２】
光を発生するためのランプユニットと、
映像をディスプレーするためのディスプレーユニットに前記ランプユニットからの光をガイドし、前記ランプユニットからの光が各々入射され、互いに対向する第１及び第２端部の両角部を所定部分切開してキャッチングジョーが形成され、前記キャッチングジョーは、前記端部の側壁から外側に突出するよう延長して形成された突出部を含み、前記角が部分切開された第１及び第２端部の幅は、中央部の幅より小さい導光板と、
前記ランプユニット及び導光板を収納し、前記キャッチングジョーと各々かみ合って、前記導光板を固定するためのキャッチング突起が基底面の前記キャッチングジョーと対応される位置に形成されたモールドフレームとを含むことを特徴とする液晶表示モジュール。
【請求項１３】
前記第１及び第２端部の両角部のキャッチングジョーは前記中央部に進行するほど幅が狭くなるようスロープ形態で形成されることを特徴とする請求項１２に記載の液晶表示モジュール。
【請求項１４】
光を発生するためのランプユニット、及び映像をディスプレーするためのディスプレーユニットに前記ランプユニットからの光をガイドし、前記ランプユニットからの光が各々入射され、互いに対向する第１及び第２端部の両角部を所定部分切開してキャッチングジョーが形成され、前記キャッチングジョーは、前記端部の側壁から外側に突出するよう延長して形成された突出部を含み、前記角が部分切開された第１及び第２端部の幅は、中央部の幅より小さい導光板を有するバックライトアセンブリと、
前記ランプユニット及び導光板を収納し、前記キャッチングジョーとかみ合って前記導光板を固定するためのキャッチング突起が基底面の前記キャッチングジョーと対応される位置に形成されたモールドフレームと、及び
前記ディスプレーユニットの位置をガイドし、前記モールドフレームと対向結合して前記ディスプレーユニット及びバックライトアセンブリを前記モールドフレームに固定するためのトップシャーシを含むことを特徴とする液晶表示装置。
【請求項１５】
前記第１及び第２端部の両角部のキャッチングジョーは、前記中央部に進行するほど幅が狭くなるようにスロープ形態で形成されることを特徴とする請求項１４に記載の液晶表示装置。
【請求項１６】
光を発生するためのランプユニット、及び映像をディスプレーするためのディスプレーユニットに前記ランプユニットからの光をガイドし、前記ランプユニットからの光が入射される第１端部の少なくとも一つの角を所定部分切開してキャッチングジョーが形成され、前記キャッチングジョーは、前記端部の側壁から外側に突出するよう延長して形成された突出部を含み、前記角が部分切開された第１端部の幅は、対向する第２端部の幅より小さい導光板を有するバックライトアセンブリと、
前記ランプユニット及び導光板を収納し、前記キャッチングジョーとかみ合って、前記導光板を固定するためのキャッチング突起が基底面の前記キャッチングジョーと対応される位置に形成され、前記導光板の第２端部の両角部の上面を所定部分カバーして前記導光板の垂直方向の離脱を防止するためのキャッチングカバーが形成されたモールドフレームと、
前記ディスプレーユニットの位置をガイドし、前記モールドフレームと対向結合して前記ディスプレーユニット及びバックライトアセンブリを前記モールドフレームに固定するためのトップシャーシとを含むことを特徴とする液晶表示装置。
【発明の詳細な説明】
【０００１】
【発明の属する技術分野】
本発明は液晶表示装置に関するものであり、より具体的には、液晶表示装置の導光板の構造を改善してモールドフレームに収納される導光板の移動を最小化することができる光ガイド装置、これを有する液晶表示モジュール及び液晶表示装置に関するものである。
【０００２】
【従来の技術】
最近、情報処理機器は多様な形態、多様な機能、より高速の情報処理速度を有するように急速に発展されている。このような情報処理装置で処理される情報は電気信号の形態を有する。使用者が情報処理装置で処理される情報を目で確認するためにはインターフェース機能を有するディスプレー装置を必要とする。
【０００３】
最近、代表的なＣＲＴ方式のディスプレー装置に比べて、軽量、小型でありながら、フル−カラー、高解像度具現などのような機能を有する液晶表示装置の開発が進んでいる。その結果、液晶表示装置は代表的な情報処理装置であるコンピュータのモニター、家庭用壁掛けテレビ、それ以外の情報処理装置のディスプレー装置として広く使用されることになった。
【０００４】
液晶表示装置は、液晶の特定の分子配列に電圧を印加して異なる分子配列へ変換させ、このような分子配列により生じる液晶セルの複屈折性、旋光性、２色性及び光散乱特性などの光学的性質の変化を視覚変化へ変換することで、液晶セルによる光の変調を利用したディスプレーである。
【０００５】
液晶表示装置は大きくＴＮ（Ｔｗｉｓｔｅｄ  Ｎｅｍａｔｉｃ）方式とＳＴＮ（Ｓｕｐｅｒ−Ｔｗｉｓｔｅｄ  Ｎｅｍａｔｉｃ）方式に分かれ、駆動方式の差異でスイッチング素子及びＴＮ液晶を利用したアクティブマトリックス（Ａｃｔｉｖｅ  ｍａｔｒｉｘ）表示方式とＳＴＮ液晶を利用したパッシブマトリックス（Ｐａｓｓｉｖｅ  ｍａｔｒｉｘ）表示方式がある。
【０００６】
この二つ方式の大きな差異は、アクティブマトリックス表示方式はＴＦＴ−ＬＣＤに使用され、これはＴＦＴをスイッチとして利用してＬＣＤを駆動する方式であり、パッシブマトリックス表示方式はトランジスターを使用しないのでこれと関連した複雑な回路を必要としないという点である。
【０００７】
また、光源の利用方法に従って、バックライトを利用する透過型液晶表示装置と外部の光源を利用する反射型液晶表示装置の二種類に分類することができる。
【０００８】
バックライトを光源に使用する透過型液晶表示素子ではバックライトにより液晶表示素子の重量と体積とが増加するが、外部の光源を利用しない独立のディスプレー機能を有するので広く使用されている。
【０００９】
図１は従来の液晶表示装置を概略的に示した分解斜視図である。図２は図１に図示された導光板とモールドフレームの構造をより具体的に示した部分分解斜視図である。
【００１０】
図１を参照すれば、液晶表示装置９００は画像信号が印加されることにより画面を表示するための液晶表示モジュール７００と液晶表示モジュール７００を収納するための前面ケース８１０及び背面ケース８２０で構成されている。
【００１１】
液晶表示モジュール７００は画面を示す液晶表示パネルを含むディスプレーユニット７１０を含む。
【００１２】
ディスプレーユニット７１０は液晶表示パネル７１２、統合印刷回路基板７１４、データ側テープキャリアパッケージ７１６及びＣＯＦ方式により製造されたゲート側可撓性回路基板７１８を含む。
【００１３】
液晶表示パネル７１２は薄膜トランジスター基板７１２ａ、カラーィルタ基板７１２ｂ及び液晶（図示せず）を含む。
【００１４】
薄膜トランジスター基板７１２ａはマトリックス状の薄膜トランジスターが形成されている透明なガラス基板である。前記薄膜トランジスターのソース端子はデータラインが連結され、ゲート端子にはゲートラインが連結される。かつ、ドレーン端子は透明な導電性材質であるインジウムティンオキサイド（ＩＴＯ）より成る画素電極を用いて形成される。
【００１５】
データライン及びゲートラインに電気信号を入力すると、各々の薄膜トランジスターソース端子とゲート端子に電気信号が入力され、この電気信号の入力に従って薄膜トランジスターはターンオンまたはターンオフされてドレーン端子において画素形成に必要な電気信号が出力される。
【００１６】
前記薄膜トランジスター基板７１２ａに対向してカラーフィルタ基板７１２ｂが具備されている。カラーフィルタ基板７１２ｂは光が通過しながら所定の色が発現される色画素であるＲＧＢ画素が薄膜工程により形成された基板である。カラーフィルタ基板７１２ｂの前面にはＩＴＯから成る共通電極が塗布されている。
【００１７】
前述した薄膜トランジスター基板７１２ａのトランジスターのゲート端子及びソース端子には電源が印加されて薄膜トランジスターがターンオンされると、画素電極とカラーフィルタ基板の共通電極の間には電界が形成される。このような電界により薄膜トランジスター基板７１２ａとカラーフィルタ基板７１４ｂの間に注入された液晶の配列角が変化され、変化された配列角に従って光透過率が変更されて所望の画素を得ることになる。
【００１８】
前記液晶表示パネル７１２の液晶の配列角と液晶が配列される時期とを制御するために薄膜トランジスターのゲートラインとデータラインに駆動信号及びタイミング信号を印加する。図示したように、液晶表示パネル７１２のソース側にはデータ駆動信号の印加時期を決定する可撓性回路基板の一種であるデータ側テープキャリアパッケージ７１６が付着されており、ゲート側にはゲート駆動信号の印加時期を決定するためのＣＯＦ方式で製造されたゲート側可撓性回路基板７１８が付着されている。
【００１９】
液晶表示パネル７１２の外部から映像信号の入力を受けてゲートラインとデータラインに駆動信号を印加するための統合印刷回路基板７１４は液晶表示パネル７１２のデータライン側のデータ側テープキャリアパッケージ７１６に接続される。統合印刷回路基板７１４はコンピュータなどのような外部の情報処理装置（図示せず）から発生した映像信号が印加されて前記液晶表示パネル７１２にデータ駆動信号を提供するためのソース部と前記液晶表示パネル７１２のゲートラインにゲート駆動信号を提供するためのゲート部が形成されている。すなわち、統合印刷回路基板７１４は液晶表示装置を駆動するための信号であるゲート駆動信号、データ信号及びこれの信号を適切な時期に印加するための複数のタイミング信号を発生させ、ゲート駆動信号はゲート側可撓性回路基板７１８を通じて液晶表示パネル７１２のゲートラインに印加し、データ信号はデータ側テープキャリアパッケージ７１６を通じて液晶表示パネル７１２のデータラインに印加する。
【００２０】
前記ディスプレーユニット７１０の下には前記ディスプレーユニット７１０に均一な光を提供するためのバックライトアセンブリ７２０が具備されている。バックライトアセンブリ７２０は液晶表示モジュール７００の一側に具備されて光を発生させるためのランプ７２１を含む。ランプ７２１はランプカバー７２２により保護される。導光板７２４は前記ディスプレーユニット７１０の液晶パネル７１２に対応する大きさを有し、液晶パネル７１２の下に位置してランプ７２１側は厚くてランプ７２１から遠ざかるほど薄くなるよう形成されて、ランプ７２１で発生された光をディスプレーユニット７１０側に案内しながら光の経路を変更する。
【００２１】
前記導光板７２４の上には導光板７２４から出射されて液晶表示パネル７１２に向かう光の輝度を均一にするための複数個の光学シート７２６が具備されている。かつ、導光板７２４の下には導光板７２４から漏洩される光を導光板７２４に反射させて光の効率を高めるための反射板７２８が具備されている。
【００２２】
前記ディスプレーユニット７１０とバックライトアセンブリ７２０は収納容器であるモールドフレーム７３０により固定支持される。モールドフレーム７３０は直六面体のボックス状を有し、上面は開口されている。すなわち、４個の側壁と基底面により構成され、底面には前記統合印刷回路基板７１４をモールドフレーム７３０の外側面に沿って折曲させて安着させるための凹所が形成されている。
【００２３】
前記ディスプレーユニット７１０の統合印刷回路基板７１４とゲート側テープキャリアパッケージ７１８を前記モールドフレーム７３０の外部で折曲させながら、前記モールドフレーム７３０の底面部に固定しながらディスプレーユニットが離脱されることを防止するためのシャーシ７４０が提供される。前記シャーシ７４０は前記モールドフレーム７３０とともに直六面体の形状を有し、上面部は液晶表示パネル７１０を露出させるために開口されており、側壁部は内側垂直方向に折曲され前記液晶表示パネル７１０の上面の周辺部をカバーする。
【００２４】
一方、図２を参照すれば、モールドフレーム７３０の収納空間で前記ランプ７２１が設置される側の側壁の角部には前記モールドフレーム７３０と一体で形成された第１及び第２キャッチング突起７３１，７３２が形成される。かつ、前記モールドフレーム７３０に収納される前記導光板７２４で前記ランプ７２１側に位置する端部の角は所定部分切開されて第１及び第２キャッチングジョー７２４ａ、７２４ｂが形成される。
【００２５】
図３は図２に図示された導光板をモールドフレームに収納した状態を示した図面である。図４は図３に図示された導光板とモールドフレームの水平方向の固定構造を示した部分拡大図である。図５は図３に図示された導光板の大きさを示した平面図である。
【００２６】
図３を参照すれば、前記モールドフレーム７３０に前記導光板７２４が収納されると、前記第１及び第２キャッチングジョー７２４ａ、７２４ｂは各々前記第１及び第２キャッチング突起７３１，７３２とかみ合う。従って、前記液晶表示装置９００が外部衝撃を受けても前記第１及び第２キャッチング突起７３１，７３２によって前記導光板７２４が前記ランプ７２１側に移動させられることを防止することができる。
【００２７】
しかし、近時では液晶表示装置９００の大きさを縮小するために、前記モールドフレーム７３０の側壁厚さが段々減少される趨勢であり、図５に図示されたように、前記導光板７２４の幅は前記ランプ７２１側端部とその対向する端部が同一である。従って、前記モールドフレーム７３０と一体で形成される前記第１及び第２キャッチング突起７３１，７３２の厚さを十分に確保することが容易でない。これによって、図４に図示されたように、前記導光板７２４の第１及び第２キャッチングジョー７２４ａ、７２４ｂと前記モールドフレーム７３０の第１及び第２キャッチング突起７３１，７３２とのキャッチング量が十分に確保されなかったので、前記導光板７２４の前記ランプ７２１側への移動を防止することが相当に難しい。
【００２８】
一方、前記キャッチング量を確保するために前記導光板７２４とモールドフレーム７３０の間のギャップに相当する量だけ、前記導光板７２４の幅を増大させると、第１及び第２キャッチングジョー７２４ａ、７２４ｂと第１及び第２キャッチング突起７３１，７３２とのキャッチング量はある程度確保することができる。しかし、前記導光板７２４とモールドフレーム７３０の間にギャップが殆ど無ければ、温度や湿度の変化による前記導光板７２４の膨張空間を確保することができないので、前記導光板７２４のしわ現象が深刻化されることになる。特に、図１に図示されたようなウェッジ型導光板７２４の場合、前記導光板７２４の厚さが薄い部分では温度変化による膨張率が大きいために、前記導光板７２４とモールドフレーム７３０の間の十分なギャップが要求される。
【００２９】
一方、図面に図示されなかったが、前記導光板７２４の両側面の所定部分を突出させて突起を形成し、前記モールドフレーム７３０の両側壁で前記突起に対応される位置に溝を形成して前記導光板７２４の移動を防止することもできる。しかし、この場合にも同様に前記突起と溝のキャッチング量を確保することが難しいだけでなく、前記突起と溝による折れ曲がった角部分で前記ランプ７２１から入射された光が溜まる光溜まり現象が発生される。
【００３０】
【発明が解決しようとする課題】
従って、本発明の一目的は導光板の構造を改善してモールドフレームに収納される導光板の移動を最小化することができる光ガイド装置を提供するものである。
【００３１】
本発明の他の目的は、導光板の構造を改善してモールドフレームに収納される導光板の移動を最小化することができる光ガイド装置を有する液晶表示モジュールを提供するものである。
【００３２】
本発明のまた他の目的は、導光板の構造を改善してモールドフレームに収納される導光板の移動を最小化することができる光ガイド装置を有する液晶表示装置を提供するものである。
【００３３】
【課題を解決するための手段】
上述した目的を達成するための本発明に従う光ガイド装置は、ランプユニットから発生される光の提供を受け、映像をディスプレーするためのディスプレーユニットに前記光をガイドする。前記ランプユニットからの光が入射される前記光ガイド装置の第１端部の両角部は所定部分切開されてキャッチングジョーとして形成され、前記キャッチングジョーを含む前記第１端部の幅は対向する第２端部の幅あるいは中央部の幅より大きく形成される。
【００３４】
上述した目的を達成するための本発明に従う液晶表示モジュールは、光を発生するためのランプユニットと、映像をディスプレーするためのディスプレーユニットに前記ランプユニットからの光をガイドし、前記ランプユニットからの光が入射される第１端部の両角部を所定部分切開してキャッチングジョーが形成され、前記キャッチングジョーを含む前記第１端部の幅が対向する第２端部の幅あるいは中央部の幅より大きく形成される導光板と、そして前記ランプユニット及び導光板を収納し、前記導光板の第１端部の両角部に形成されたキャッチングジョーとかみ合って、前記導光板を固定するためのキャッチング突起が基底面の前記キャッチングジョーと対応される位置に形成されたモールドフレームを含む。
【００３５】
上述した目的を達成するための本発明に従う液晶表示装置は、光を発生するためのランプユニット、及び映像をディスプレーするためのディスプレーユニットに前記ランプユニットからの光をガイドし、前記ランプユニットからの光が入射される第１端部の両角部を所定部分切開してキャッチングジョーが形成され、前記キャッチングジョーを含む前記第１端部の幅が対向する第２端部の幅あるいは中央部の幅より大きく形成される導光板を有するバックライトアセンブリと、前記ランプユニット及び導光板を収納し、前記導光板の第１端部の両角部に形成されたキャッチングジョーとかみ合って、前記導光板を固定するためのキャッチング突起が基底面の前記キャッチングジョーと対応される位置に形成されたモールドフレームと、そして前記ディスプレーユニットの位置をガイドし、前記モールドフレームと対向結合して前記ディスプレーユニット及びバックライトアセンブリを前記モールドフレームに固定するためのトップシャーシを含む。
【００３６】
ここで、前記第１端部の両角部のキャッチングジョーは、前記第２端部に進行するほど幅が狭くなるようスロープ形態で形成される。
【００３７】
かつ、前記導光板は前記光が入射される第１端部から前記第２端部に進行するほど厚さが薄くなるウェッジ型導光板である。
また、本発明の一実施形態に係る光ガイド装置は、ランプユニットから発生される光の提供を受け、映像を表示するためのディスプレーユニットに前記光をガイドするための光ガイド装置において、前記ランプユニットからの光が入射される前記光ガイド装置の端部のいずれか一つの角部分を切開してキャッチングジョーが形成され、前記キャッチングジョーは、前記端部の側壁から外側に突出されるように延長して形成された突出部を含む。
また、本発明の一実施形態に係る液晶表示装置は、ランプユニットからの光を映像を表示するためのディスプレーユニットにガイドし、前記ランプユニットからの光が入射される前記光ガイド装置の端部のいずれか一つの角を部分切開してキャッチングジョーが形成され、前記キャッチングジョーの側壁から外側に突出されるように延長して形成された突出部を有する導光板を具備するバックライトアセンブリと、前記ランプユニット及び導光板を収納し、前記キャッチングジョーと噛み合って、前記導光板を固定するためのキャッチング突起が基底面の前記キャッチングジョーと対応される位置に形成されたモールドフレームと、及び前記ディスプレーユニットの位置をガイドし、前記モールドフレームと対向結合して、前記ディスプレーユニット及びバックライトアセンブリを前記モールドフレームに固定するためのトップシャーシとを含む。
【００３８】
このような光ガイド装置、これを有する液晶表示モジュール及び液晶表示装置に従うと、前記ランプと導光板の間で前記モールドフレームと一体で形成されるキャッチング突起と前記導光板のキャッチングジョーとのキャッチング量が大きく増加する。だから、液晶表示装置に外部衝撃が加わるとしても、前記導光板が前記ランプ側に移動されることを防止することができる。かつ、前記キャッチングジョーがスロープ形態で形成されるために、前記ランプから入射される光の光溜まり現象が発生されない。
【００３９】
以下、図面を参照して本発明の望ましい実施形態による光ガイド装置、これを有する液晶表示モジュール及び液晶表示装置の構成をより詳細に説明する。
【００４０】
第１実施形態
図６は本発明の一実施形態による液晶表示装置を概略的に示すための分解斜視図である。
【００４１】
図６を参照すれば、液晶表示装置１００は画像信号が印加されて画面を表示するための液晶表示モジュール２００と液晶表示モジュール２００を収納するためのフロントケース３１０及びリアケース３２０で構成されたケース３００とを含む。
【００４２】
液晶表示モジュール２００は画面を表示する液晶表示パネルを含むディスプレーユニット２１０を含む。
【００４３】
ディスプレーユニット２１０は液晶表示パネル２１２、統合印刷回路基板２１４、データ側テープキャリアパッケージ２１６及びＣＯＦ方式により製造されたゲート側可撓性回路基板２１８を含む。
【００４４】
液晶表示パネル２１２は、薄膜トランジスター基板２１２ａ、カラーフィルタ基板２１２ｂ及び液晶（図示せず）を含む。
【００４５】
薄膜トランジスター基板２１２ａはマトリックス状に薄膜トランジスターが形成されている透明なガラス基板である。前記薄膜トランジスターのソース端子はデータラインが連結され、ゲート端子はゲートラインが連結される。かつ、ドレーン端子は透明な導電性材質であるインジウムティンオキサイド（ＩＴＯ）で構成される画素電極によって形成される。
【００４６】
データライン及びゲートラインに電気信号を入力すると、各々の薄膜トランジスターのソース端子とゲート端子に電気信号が入力され、この電気信号の入力に従って薄膜トランジスターはターンオンまたはターンオフされてドレーン端子を介して画素形成に必要な電気信号が出力される。
【００４７】
前記薄膜トランジスター基板２１２ａに対向してカラーフィルタ基板２１２ｂが具備されている。カラーフィルタ基板２１２ｂは光が通過しながら所定の色が発現される色画素であるＲＧＢ画素が薄膜工程により形成された基板である。カラーフィルタ基板２１２ｂの前面にはＩＴＯから成った共通電極が塗布されている。
【００４８】
前述した薄膜トランジスター基板２１２ａのトランジスターのゲート端子及びソース端子に電源が印加されて薄膜トランジスターがターンオンされると、画素電極とカラーフィルタ基板の共通電極の間には電界が形成される。このような電界により薄膜トランジスター基板２１２ａとカラーフィルタ基板２１４ｂの間に注入された液晶の配列角が変化され、変化された配列角に従って光透過率が変更されて所望の画素を得ることになる。
【００４９】
前記液晶表示パネル２１２の液晶の配列角と液晶が配列される時期とを制御するために薄膜トランジスターのゲートラインとデータラインに駆動信号及びタイミング信号を印加する。
【００５０】
図示したように、液晶表示パネル２１２のソース側にはデータ駆動信号の印加時期を決定する可撓性回路基板の一種であるデータ側テープキャリアパッケージ２１６が付着されており、ゲート側にはゲート駆動信号の印加時期を決定するためのＣＯＦ方式に製造されたゲート側可撓性回路基板２１８が付着されている。
【００５１】
液晶表示パネル２１２の外部から映像信号の入力を受けてゲートラインとデータラインに駆動信号を印加するための統合印刷回路基板２１４は液晶表示パネル２１２のデータライン側のデータ側テープキャリアパッケージ２１６に接続される。統合印刷回路基板２１４はコンピュータなどのような外部の情報処理装置（図示せず）から発生した映像信号が印加されて前記液晶表示パネル２１２にデータ駆動信号を提供するためのソース部と前記液晶表示パネル２１２のゲートラインにゲート駆動信号を提供するためのゲート部が形成されている。
【００５２】
すなわち、統合印刷回路基板２１４は液晶表示装置を駆動するための信号であるゲート駆動信号、データ信号及びこれらの信号を適切な時期に印加するための複数のタイミング信号を発生させて、ゲート駆動信号はゲート側可撓性回路基板２１８を通じて液晶表示パネル２１２のゲートラインに印加し、データ信号はデータ側テープキャリアパッケージ２１６を通じて液晶表示パネル２１２のデータラインに印加する。
【００５３】
前記ディスプレーユニット２１０の下には前記ディスプレーユニット２１０に均一な光を提供するためのバックライトアセンブリ２２０が具備されている。バックライトアセンブリ２２０は液晶表示モジュール２００の一方の側に具備されて光を発生させるためのランプ２２１を含み、前記ランプ２２１はランプカバー２２２により保護される。導光板２２４は前記ディスプレーユニット２１０の液晶パネル２１２に対応する大きさを有し、前記ランプ２２１で発生された光をディスプレーユニット２１０側に案内しながら光の経路を変更する。
【００５４】
前記導光板２２４上には前記導光板２２４から出射されて液晶表示パネル２１２に向かう光の輝度を均一にするための複数個の光学シート２２６が具備されている。かつ、前記導光板２２４の下には導光板２２４から漏洩される光を前記導光板２２４に反射させて光の効率を高めるための反射板２２８が具備されている。前記ディスプレーユニット２１０とバックライトアセンブリは収納容器アセンブリであるモールドフレーム４００により固定支持される。
【００５５】
図７は図６に図示された本発明の第１実施形態に従う液晶表示装置の導光板とモールドフレームの構造をより具体的に示した分解斜視図である。図８は図７に図示された本発明の第１実施形態に従う導光板をモールドフレームに収納した状態を示した図面である。
【００５６】
図７を参照すれば、前記導光板２２４は前記ランプ２２１からの光が入射される側から遠ざかるほどその厚さが薄くなるウェッジ型導光板である。しかし、本発明に従う第１実施形態は導光板２２４の両端部の厚さが同一な場合にも適用される。
【００５７】
前記導光板２２４の第１端部即ち、前記モールドフレーム４００の収納空間で前記ランプ２２１が設置される側に収納される第１端部の両角部は所定部分が切開されて各々第３キャッチングジョー２２４ａと第４キャッチングジョー２２４ｂが形成される。前記第３及び第４キャッチングジョー２２４ａ、２２４ｂが形成された前記第１端部の全体幅は対向する第２端部、即ち前記ランプ２２１から遠くの側の端部より大きい幅を有する。これは前記第３及び第４キャッチングジョー２２４ａ、２２４ｂの側壁に前記導光板２２４と一体で追加キャッチング部分が形成されるために、これに関しては図９及び図１０を参照してさらに詳細に説明する。
【００５８】
一方、導光板２２４を収納する前記モールドフレーム４００の収納空間の一側には、前記ランプ２２１及びランプカバー２２２が収納される。前記ランプ２２１が定置された側壁の両角部には、前記導光板２２４の第３及び第４キャッチングジョー２２４ａ、２２４ｂと各々かみ合って前記導光板２２４の水平方向の移動を防止するための第３及び第４キャッチング突起４０２，４０４が前記モールドフレーム４００と一体で形成される。かつ、前記第３及び第４キャッチング突起４０２，４０４と対向する側壁の両角部には、前記モールドフレーム４００に収納された導光板２２４が前記収納空間の垂直方向に離脱されることを防止するための第３及び第４キャッチングカバー４０６，４０８が前記モールドフレーム４００と一体で形成される。
【００５９】
図８に図示されたように、前記導光板２２４が前記モールドフレーム４００の収納空間に収納されると、前記第３キャッチングジョー２２４ａと第３キャッチング突起４０２、前記第４キャッチングジョー２２４ｂと第４キャッチング突起４０４が各々かみ合って、前記導光板２２４の第２端部である両角部の一部は第３及び第４キャッチングカバー４０６，４０８の下側に差込まれる。
【００６０】
図９は図８に図示された本発明の第１実施形態に従う導光板とモールドフレームの水平方向の固定構造を詳細に示した部分拡大図である。図１０は図８に図示された本発明の第１実施形態に従う導光板の構造を詳細に示した平面図である。
【００６１】
図９を参照すれば、前記第３キャッチングジョー２２４ａの側壁と前記モールドフレーム４００の側壁との間のギャップは前記導光板２２４の第２端部の側壁と前記モールドフレーム４００との間のギャップより狭い。これは、前記第３キャッチングジョー２２４ａの側壁に前記導光板２２４と一体に形成したキャッチング部分を重ね付けた即ち追加したために、キャッチング部分は前記第２端部に進行するほどその幅が狭くなるよう浅いなめらかなカーブのスロープ形状を有する。即ち、前記導光板２２４の第３キャッチングジョー２２４ａの幅は前記第１端部から前記第２端部に進行するほど幅が狭くなる。このようなキャッチング部分は前記第４キャッチングジョー２２４ｂにおいても同様に形成される。従って、前記第３及び第４キャッチングジョー２２４ａ、２２４ｂと前記第３及び第４キャッチング突起４０２、４０４間のキャッチング量が前記キャッチング部分の幅ほど増加することになる。
【００６２】
より詳細に説明すれば、図１０に図示されたように、前記キャッチング部分２２４ａ´、２２４ｂ´を前記第３及び第４キャッチングジョー２２４ａ、２２４ｂに重ね付ける前に、前記導光板２２４の第３及び第４キャッチングジョー２２４ａ、２２４ｂの幅を各々示す“Ｗ３”と“Ｗ４”の値は同一である。この場合は前記第１端部と第２端部の幅が同一である。しかしながら、前記第３及び第４キャッチングジョー２２４ａ、２２４ｂの側壁に上述したようなキャッチング部分２２４ａ´、２２４ｂ´を各々重ね付ければ、前記第１端部の幅Ｗ１´は前記第２端部の幅Ｗ２より前記キャッチング部分２２４ａ´、２２４ｂ´の幅Ｗ５，Ｗ６の分だけ増加する。従って、図９に図示されたように、前記第３及び第４キャッチングジョー２２４ａ、２２４ｂと前記第３及び第４キャッチング突起４０２，４０４間のキャッチング量が十分に確保されて、前記導光板２２４が外部衝撃によって前記ランプ２２１側に移動されることを確実に防止することができる。かつ、前記キャッチング部分２２４ａ´、２２４ｂ´は前記第２端部側に進行するほど幅Ｗ５，Ｗ６が狭くなるスロープ形態により形成されるので、前記ランプ２２１から入射される光の光溜まり現象が発生されない。前記キャッチング部分２２４ａ´、２２４ｂ´が重ね付けられた部分を除外しては、前記導光板２２４と前記モールドフレーム４００の側壁と間のギャップが十分に維持されるために、温度や湿度変化に従う前記導光板２２４のしわ現象も防止することができる。なお、光ガイド装置のそれぞれの端部のいずれか一つの角部分を切開してキャッチングジョーが形成されるようにしてもよい。
【００６３】
第２実施形態
次に図１１乃至図１３を参照して本発明の第２実施形態に従う液晶表示装置を説明する。
【００６４】
図１１は本発明の第２実施形態による液晶表示装置の分解斜視図を示した図面である。
【００６５】
図１１を参照すれば、本発明の第２実施形態に従う液晶表示装置はバックライトアセンブリとバックカバー４００ａを除外しては、図６に図示された本発明の第１実施形態に従う液晶表示装置と同一な構成を有する。即ち、図１１に図示された本発明の第２実施形態に従う液晶表示装置は二つのランプを採用したモニター装置を図示する。本発明に従う第２実施形態の説明において、図１に図示された液晶表示装置と同一な機能を実施する構成要素については同一な参照符号を併記し、その機能に対した別度の説明を省略する。
【００６６】
図１１に図示されたように、前記ディスプレーユニット２１０の下には前記ディスプレーユニット２１０に均一な光を提供するためのバックライトアセンブリが具備されている。バックライトアセンブリは液晶表示モジュール２００の両側に互いに対向するように具備されて、光を発生させるための第１及び第２ランプ２２１ａ、２２１ｂを含み、前記第１及び第２ランプ２２１ａ、２２１ｂは各々第１及び第２ランプカバー２２２ａ，２２２ｂによって保護される。導光板２２４は前記ディスプレーユニット２１０のの液晶パネル２１２に対応する大きさを有して、前記第１及び第２ランプ２２１ａ、２２１ｂから発生された光を前記ディスプレーユニット２１０側に案内しながら光の経路を変更する。導光板２２４は複数の導光板を密接させた形態を使用することもでき、単一の導光板を使用することもできる。
【００６７】
前記ディスプレーユニット２１０とバックライトアセンブリは収納容器アセンブリであるモールドフレーム４００によって固定支持され、前記モールドフレーム４００の背面にはモニター装置で発生されるＥＭＩ（電磁障害）を遮断及び減少させるためのメタル材質のバックカバー４００ａが結合される。
【００６８】
図１２は図１１に図示された本発明の第２実施形態に従う導光板をモールドフレームに収納した状態を示した図面である。図１３は図１０に図示された本発明の第２実施形態に従う導光板の構造を詳細に示した平面図である。
【００６９】
図１２を参照すれば、前記導光板２２４の第１端部即ち、前記モールドフレーム４００の収納空間で前記第１ランプ２２１ａが設置される側壁に向き合う第１端部の両角部は、所定部分が切開されて第５キャッチングジョー２２４ａと第６キャッチングジョー２２４ｂが形成される。かつ、前記導光板２２４の第１端部と対向する第２端部即ち、前記モールドフレーム４００の収納空間で前記第２ランプ２２１ｂが設置される側壁に向き合う第２端部の両角部は所定部分が切開されて第７キャッチングジョー２２４ｃと第８キャッチングジョー２２４ｄが形成される。
【００７０】
前記第５及び第６キャッチングジョー２２４ａ、２２４ｂが形成された前記第１端部の全体幅Ｗ１´は第７及び第８キャッチングジョー２２４ｃ、２２４ｄが形成された前記第２端部の幅Ｗ２´と同一である。前記第５、第６、第７及び第８キャッチングジョー２２４ａ，２２４ｂ，２２４ｃ，２２４ｄの各々の側壁には各々キャッチング追加部分２２４ａ´，２２４ｂ´，２２４ｃ´，２２４ｄ´が一体で形成されて前記第１及び第２端部の全体的な幅は前記導光板２２４の中央部の幅より大きい。これに関しては図１３を参照してさらに詳細に説明する。
【００７１】
一方、前記導光板２２４を収納する前記モールドフレーム４００の収納空間で前記導光板２２４の第１端部に向き合う側には前記第１ランプ２２１ａ及び第１ランプカバー２２２ａが収納され、前記第２端部に向き合う側には、前記第２ランプ２２１ｂ及び第２ランプカバー２２２ｂが収納される。前記第１ランプ２２１ａが定置された側壁の両角部には前記導光板２２４の第５及び第６キャッチングジョー２２４ａ，２２４ｂと各々かみ合って前記導光板２２４の前記第１ランプ２２１ａ方向への移動を防止するための第５及び第６キャッチング突起４０２，４０４が前記モールドフレーム４００と一体で形成される。かつ、前記第２ランプ２２１ｂが定置された側壁の両角部には前記導光板２２４の第７及び第８キャッチングジョー２２４ｃ，２２４ｄと各々かみ合って前記導光板２２４の前記第２ランプ２２１ｂ方向への移動を防止するための第７及び第８キャッチング突起４０６，４０８が前記モールドフレーム４００と一体で形成される。
【００７２】
図１２に図示されたように、前記導光板２２４が前記モールドフレーム４００の収納空間に収納されれば、前記第５キャッチングジョー２２４ａと第５キャッチング突起４０２、前記第６キャッチングジョー２２４ｂと第６キャッチング突起４０４、前記第７キャッチングジョー２２４ｃと第７キャッチング突起４０６及び前記第８キャッチングジョー２２４ｄと前記第８キャッチング突起４０８が各々かみ合って前記導光板２２４の水平方向の移動を防止する。
【００７３】
図１２を参照すれば、前記第５キャッチングジョー２２４ａの側壁と前記モールドフレーム４００の側壁との間のギャップは、前記導光板２２４の中央部の側壁と前記モールドフレーム４００との間のギャップより狭い。これは、前記第５キャッチングジョー２２４ａの側壁に前記導光板２２４と一体でキャッチング部分２２４ａ´を重ね付けたためであるが、前記キャッチング部分２２４ａ´は前記導光板の中央部に進行するほどその幅Ｗ５が狭くなるよう浅いなめらかなカーブのスロープを有する。このようなキャッチング部分２２４ａ´は前記導光板２２４の第６、第７及び第８キャッチングジョー２２４ｂ、２２４ｃ、２２４ｄにおいても同一な形態を有するように形成される。従って、前記第５、第６、第７及び第８キャッチングジョー２２４ａ、２２４ｂ、２２４ｃ、２２４ｄと前記第５、第６、第７及び第８キャッチング突起４０２，４０４，４０６，４０８の間のキャッチング量は各々のキャッチング部分２２４ａ´，２２４ｂ´，２２４ｃ´，２２４ｄ´の幅Ｗ５，Ｗ６，Ｗ５´，Ｗ６´の分だけ増加する。
【００７４】
より詳細に説明すると、図１３に図示されたように、前記キャッチング部分２２４ａ´，２２４ｂ´，２２４ｃ´，２２４ｄ´を前記第５、第６、第７及び第８キャッチングジョー２２４ａ、２２４ｂ、２２４ｃ、２２４ｄに重ね付ける前に、導光板２２４の第５、第６、第７及び第８キャッチングジョー２２４ａ、２２４ｂ、２２４ｃ、２２４ｄの幅を各々示す“Ｗ３” 、“Ｗ４”、 “Ｗ３´”及び “Ｗ４´”の値は同一である。しかしながら、前記第５、第６、第７及び第８キャッチングジョー２２４ａ、２２４ｂ、２２４ｃ、２２４ｄの側壁に上述したようなキャッチング部分２２４ａ´，２２４ｂ´，２２４ｃ´，２２４ｄ´を各々重ねつけると、前記第１端部の幅Ｗ１´及び前記第２端部の幅Ｗ２は各々前記中央部の幅より二つのキャッチング部分２２４ａ´，２２４ｂ´の幅Ｗ５，Ｗ６ほど増加する。従って、図１３に図示されたように、前記第５、第６、第７及び第８キャッチングジョー２２４ａ、２２４ｂ、２２４ｃ、２２４ｄと前記第５、第６、第７及び第８キャッチング突起４０２，４０４，４０６，４０８の間のキャッチング量が十分に確保されて前記導光板２２４が外部衝撃によって前記第１ランプ２２１ａまたは第２ランプ２２１ｂ側に移動されることを確実に防止することができる。かつ、前記キャッチング部分２２４ａ´，２２４ｂ´，２２４ｃ´，２２４ｄ´の各々は前記中央部に進行するほど幅Ｗ５，Ｗ６，Ｗ５´，Ｗ６´が狭くなるスロープ形態により形成されるために、前記第１及び第２ランプ２２１ａ、２２１ｂから入射される光の光溜まり現象が発生されない。
【００７５】
一方、上述したような導光板２２４のキャッチング部分は図１４に図示したように、導光板２２５の端部の一角部分にのみ適用されることもできる。
【００７６】
図１４において、前記導光板２２５の第１端部即ち、前記モールドフレーム４００の収納空間で前記ランプ２２１が設置される側に収納される第１端部の一角部は所定部分が切開されて前記第３キャッチングジョー２２４ａと同一である形状の第９キャッチングジョー２２５ａが形成される。前記第１端部の異なる角部は、図１４で示すように、キャッチングジョー形状を有することもでき、液晶表示装置の開発環境に従う他の特定な形状を有することもできる。前記第９キャッチングジョー２２５ａが形成された前記角部の側壁２２５ｃには追加キャッチング部分２２５ａ´が形成される。前記キャッチング部分２２５ａ´は前記第９キャッチングジョー２２５ａから延長されて形成され、前記導光板２２５の中央部へ進行するほど幅が狭くなるようにスロープ形態で形成される。
【００７７】
【発明の効果】
上述したような導光板、これを有する液晶表示モジュール及び液晶表示装置に従うと、導光板の側面のうちでモールドフレームに設置されたランプに向き合う端部の両角部にはキャッチングジョーが形成され、このキャッチングジョーを含んだ端部の幅は、前記ランプが設置されない側に収納される端部の幅あるいは中央部の幅より大きく形成される。かつ、前記両角部に形成されるキャッチングジョーの外面は前記導光板の中央部に進行するほどその幅が狭くなるスロープ形態を有する。
【００７８】
従って、前記ランプと導光板の間で前記モールドフレームと一体で形成されるキャッチング突起と前記導光板のキャッチングジョーとのキャッチング量が大きく増加する。だから、液晶表示装置に外部衝撃が加わるとしても前記導光板が前記ランプ側に移動されることを防止することができる。かつ、前記キャッチングジョーがスロープ形態として形成されるために、前記ランプから入射される光の光溜まり現象が発生されない。
【００７９】
以上、本発明の実施形態によって詳細に説明したが、本発明はこれに限定されず、本発明が属する技術分野において通常の知識を有するものであれば本発明の思想と精神を離れることなく、本発明を修正または変更できるであろう。
【図面の簡単な説明】
【図１】  従来の液晶表示装置を概略的に示した分解斜視図である。
【図２】  図１に図示された導光板とモールドフレームの構造をより具体的に示した分解斜視図である。
【図３】  図２に図示された導光板をモールドフレームに収納した状態を示した図面である。
【図４】  図３に図示された導光板とモールドフレームの水平方向の固定構造を示した部分拡大図である。
【図５】  図３に図示された導光板の大きさを示した平面図である。
【図６】  本発明の第１実施形態に従う液晶表示装置の分解斜視図である。
【図７】  図６に図示された本発明の第１実施形態に従う液晶表示装置の導光板とモールドフレームの構造をより具体的に示した分解斜視図である。
【図８】  図７に図示された本発明の第１実施形態に従う導光板をモールドフレームに収納した状態を示した図面である。
【図９】  図８に図示された本発明の第１実施形態に従う導光板とモールドフレームの水平方向の固定構造を詳細に示した部分拡大図である。
【図１０】  図８に図示された本発明の第１実施形態に従う導光板の構造を詳細に示した平面図である。
【図１１】  本発明の第２実施形態に従う液晶表示装置の分解斜視図である。
【図１２】  図１１に図示された本発明の第２実施形態に従う導光板をモールドフレームに収納した状態を示した図面である。
【図１３】  図１０に図示された本発明の第２実施形態に従う導光板の構造を詳細に示した平面図である。
【図１４】  図８に図示された本発明の第１実施形態による導光板の変形構造を詳細に示した平面図である。
【符号の説明】
１００  ：  液晶表示装置
２００  ：  液晶表示モジュール
２１０  ：  ディスプレーユニット
２２０  ：  バックライトアセンブリ
２２１  ：  ランプ
２２２  ：  ランプカバー
２２４  ：  導光板
３１０  ：  フロントケース
３２０  ：  リアケース
４００  ：  モールドフレーム
【図１】
0003888611.tif 000002
【図２】
0003888611.tif 000003
【図３】
0003888611.tif 000004
【図４】
0003888611.tif 000005
【図５】
0003888611.tif 000006
【図６】
0003888611.tif 000007
【図７】
0003888611.tif 000008
【図８】
0003888611.tif 000009
【図９】
0003888611.tif 000010
【図１０】
0003888611.tif 000011
【図１１】
0003888611.tif 000012
【図１２】
0003888611.tif 000013
【図１３】
0003888611.tif 000014
【図１４】
0003888611.tif 000015